(57)【要約】【課題】簡単な操作で撮影画像を分類毎に再生することができるデジタルカメラを提供する。【解決手段】デジタルカメラ１０の背面には、撮影モードを選択するためのモードダイヤル６４、被写体の撮影処理と撮影画像の再生処理とを切り替えるための切替スイッチ６６、及び撮影画像を表示するための表示部４６等が設けられている。モードダイヤル６４には、撮影シーンを直感的に認識可能なマークであるモードアイコン６８〜８４が印刷されている。撮影時には、撮影画像とモードダイヤル６４で選択されている撮影モードを示す撮影モード情報とを関連付けてメモリーカードに記録する。撮影画像の再生時には、モードダイヤル６４で選択されている撮影モードに対応する画像データをメモリーカードから検索して表示部４６に表示する。【選択図】　　　図１
2004120225.tif 000002
【特許請求の範囲】
【請求項１】
被写体を撮影する撮像素子と、
前記撮像素子に前記被写体の像を結像するレンズと、
前記被写体を撮影する時の撮影モードを選択する選択手段と、
前記撮像素子により撮影された撮影画像を、前記選択手段により選択された撮影モードを表す撮影モード情報と関連付けて記録媒体に記録する記録手段と、
前記撮影画像を表示する表示手段と、
前記撮影画像の再生時には、前記選択手段で選択されている撮影モードに対応する撮影画像を前記記録媒体から検索して前記表示手段に表示させる再生手段と、
を備えたデジタルカメラ。
【請求項２】
前記撮影モードは、前記被写体を撮影する時の撮影条件を自動的に選択するオートモードを含み、前記再生手段は、前記選択手段によりオートモードが選択されている場合、前記記録手段に記録された撮影画像を撮影順に再生することを特徴とする請求項１記載のデジタルカメラ。
【請求項３】
前記撮影モードは、前記被写体を撮影する時の撮影条件を自動的に選択するオートモードを含み、前記記録手段は、前記選択手段によりオートモードが選択されている場合、前記撮影画像のみを前記記録媒体に記録することを特徴とする請求項１又は請求項２記載のデジタルカメラ。
【発明の詳細な説明】
【０００１】
【発明の属する技術分野】
本発明は、デジタルカメラに係り、特に、被写体の撮影状況に応じて撮影モードを選択して撮影可能なデジタルカメラに関する。
【０００２】
【従来の技術】
従来、デジタルカメラで記録した画像を、ユーザにより入力された分類コードと対応付けて記録し、記録した画像を再生する場合には、ユーザにより入力された分類コードに対応する画像を検索して再生する技術が提案されている（例えば特許文献１参照）。
【０００３】
また、デジタルカメラで記録された画像を、ユーザにより作成された複数のフォルダーの中からユーザにより指定されたフォルダーに記録し、記録した画像を再生する場合には、ユーザにより選択されたフォルダーの画像を再生する技術がある（例えば特許文献２参照）。
【０００４】
【特許文献１】
特許第３１８３７１２号公報。
【特許文献２】
特開２００１−１６９２２２号公報。
【０００５】
【発明が解決しようとする課題】
しかしながら、特許文献１に記載された技術では、ユーザが撮影時にその都度分類コードを指定する必要があり、また、再生時にも分類コードを指定しなければならないため操作が煩雑になる、という問題があった。また、ユーザは分類コードの分類内容を分類コード毎に全て記憶しておかなければならないため、分類コードが増加するに従って、撮影した画像が分類されるべき分類コードを指定するのが困難になる、という問題もあった。
【０００６】
また、特許文献２に記載された技術も同様に、複数に分類されたフォルダの内容を全て記憶しておかなければならないため、フォルダが増加するに従って、撮影した画像が分類されるべきフォルダを指定するのが困難になる、という問題があった。
【０００７】
本発明は上記問題点を解決するために成されたものであり、簡単な操作で撮影画像を容易に分類可能に記録することができると共に、簡単な操作で撮影画像を分類毎に再生することができるデジタルカメラを提供することを目的とする。
【０００８】
【課題を解決するための手段】
上記目的を達成するために、請求項１記載の発明は、被写体を撮影する撮像素子と、前記撮像素子に前記被写体の像を結像するレンズと、前記被写体を撮影する時の撮影モードを選択する選択手段と、前記撮像素子により撮影された撮影画像を、前記選択手段により選択された撮影モードを表す撮影モード情報と関連付けて記録媒体に記録する記録手段と、前記撮影画像を表示する表示手段と、前記撮影画像の再生時には、前記選択手段で選択されている撮影モードに対応する撮影画像を前記記録媒体から検索して前記表示手段に表示させる再生手段と、を備えたことを特徴とする。
【０００９】
この発明によれば、ユーザは、選択手段によって、被写体を撮影する時の撮影モードを選択することができる。この撮影モードは、例えば撮影シーンに適したシャッタースピード、絞り値、ストロボ発光の有り無し等を設定するためのものであり、風景を撮影するのに適した風景モードやスポーツシーンを撮影するのに適したスポーツモード等、様々な撮影シーンに応じて複数の撮影モードが予め設けられる。
【００１０】
そして、撮影者が撮影モードを選択手段によって選択して撮影指示を行って被写体を撮影した場合には、記録手段は、撮像素子により撮影された撮影画像を、選択手段により選択された撮影モードを表す撮影モード情報と関連付けて記録媒体に記録する。この記録媒体は、例えばメモリカード等の本体と着脱可能な記録媒体を用いることができる。なお、撮影モード情報と撮影画像とを関連付けて記録する際には、撮影モード情報と撮影画像とを同一ファイルに記録するようにしてもよいし、各々を別ファイルとして記録するようにしてもよい。
【００１１】
再生手段は、撮影画像を表示手段に再生する際、選択手段で選択されている撮影モードに対応する撮影画像を記録媒体から検索して表示手段に表示させる。すなわち、ユーザが選択手段によって再生させたい撮影モードを選択するだけで、その撮影モードで撮影した撮影画像のみが選択されて表示手段に表示される。　このように、ユーザは、撮影画像を撮影モード毎に分類するための分類コードを入力したりする必要がなく、選択手段で撮影モードを選択するだけで、撮影モード毎に容易に分類可能なように撮影画像を記録媒体に記録することができる。また、撮影画像の再生時にも分類コード等を入力する必要はなく、選択手段により撮影モードを選択するだけで容易にその撮影モードで撮影した画像のみを表示させることができる。このため、操作が簡単になると共に、分類コード等を記憶しておく必要がないため、利便性を大幅に向上させることができる。
【００１２】
請求項２記載の発明は、前記撮影モードは、前記被写体を撮影する時の撮影条件を自動的に選択するオートモードを含み、前記再生手段は、前記選択手段によりオートモードが選択されている場合、前記記録手段に記録された撮影画像を撮影順に再生することを特徴とする。
【００１３】
この発明によれば、撮影モードに、被写体を撮影する時の撮影条件を自動的に選択するオートモードが含まれている。このオートモードは、被写体に応じてシャッタースピード、絞り値、ストロボ発光の有り無し等が自動的に設定されるモードである。再生手段は、選択手段によりオートモードが選択されている場合には、記録手段に記録された撮影画像を撮影順に再生する。これにより、撮影画像を時系列で確認することができると共に、撮影画像の分類検索を行わないので速やかに撮影画像を表示することができる。
【００１４】
また、請求項３に記載したように、前記撮影モードは、前記被写体を撮影する時の撮影条件を自動的に選択するオートモードを含み、前記記録手段は、前記選択手段によりオートモードが選択されている場合、前記撮影画像のみを前記記録媒体に記録するようにしてもよい。これにより、記録容量を節約することができる。
【００１５】
【発明の実施の形態】
以下、図面を参照して本発明の実施の形態の一例を詳細に説明する。
【００１６】
図１には、デジタルカメラ１０の背面図を示した。図１に示すように、デジタルカメラ１０の上面には、撮影を指示するためのシャッタボタン６２が設けられている。デジタルカメラ１０の背面には、撮影シーンに適したシャッタースピードや絞り値、ストロボ発光の有り無し等が設定される撮影モードを選択するためのモードダイヤル６４、被写体の撮影処理と撮影画像の再生処理とを切り替えるための切替スイッチ６６、及び撮影画像を表示するための表示部４６等が設けられている。
【００１７】
モードダイヤル６４には、撮影シーンを直感的に認識可能なマークであるモードアイコン６８〜８４が印刷されている。モードダイヤル６４は、図中矢印方向に回転可能であり、撮影者は、撮影しようとする撮影シーンに近いモードアイコンが位置合わせマーク８６の位置にくるようにモードダイヤル６４を回転させることにより、撮影モードを選択することができる。
【００１８】
モードアイコン６８は、様々な撮影シーンに適応した撮影が可能なオートモードに対応する。モードアイコン７０は、花等を接写するのに適したマクロモードに対応する。モードアイコン７２は、人物を撮影するのに適した人物モードに対応する。モードアイコン７４は、風景を撮影するのに適した風景モードに対応する。モードアイコン７６は、スポーツシーン等の動きの速い被写体を撮影するのに適したスポーツモードに対応する。モードアイコン７８は、ペットなどを撮影するのに適したペットモードに対応する。モードアイコン８０は、料理を撮影するのに適した料理モードに対応する。モードアイコン８２は、夜景を撮影するのに適した夜景モードに対応する。モードアイコン８４は、動画を撮影する動画モードに対応する。
【００１９】
図２には、デジタルカメラ１０のブロック図を示した。デジタルカメラ１０の撮影光学系１２は撮影レンズ１４及び絞り１６を含んでいる。撮影レンズ１４は、１枚又は複数枚のレンズで構成され、例えば単一の焦点距離（固定焦点）のレンズで構成されるが、焦点距離を可変にすることができるズームレンズを用いてもよい。
【００２０】
撮影光学系１２を介してＣＣＤ１８の受光面に結像された被写体像は、各センサで入射光量に応じた量の信号電荷に変換される。このようにして蓄積された信号電荷は、ＣＣＤ駆動回路２０から加えられるＣＣＤ駆動パルスによって読み出され、信号電荷に応じた電圧信号（アナログ画像信号）として順次ＣＣＤ１８から出力される。
【００２１】
ＣＣＤ１８には、シャッターゲートを介してシャッタードレインが設けられており、シャッターゲートをシャッターゲートパルスによって駆動することにより、蓄積した信号電荷をシャッタードレインに掃き出すことができる。すなわち、ＣＣＤ１８は、シャッターゲートパルスによって各センサに蓄積される電荷の蓄積時間（シャッタースピード）を制御する、いわゆる電子シャッター機能を有している。
【００２２】
ＣＣＤ１８から読み出された信号は、ＣＤＳ回路２２において相関二重サンプリング（ＣＤＳ）処理されるとともに、Ｒ，Ｇ，Ｂの各色信号に色分離処理され、各色信号の信号レベルの調整（プリホワイトバランス処理）が行われる。
【００２３】
これら所定のアナログ信号処理を経た画像信号は、Ａ／Ｄ変換器２４に加えられ、該Ａ／Ｄ変換器２４によりＲ，Ｇ，Ｂのデジタル信号に変換された後、メモリ２６に格納される。
【００２４】
タイミング信号発生回路（ＴＧ）２８は、ＣＰＵ３０からのコマンドに応じてＣＣＤ駆動回路２０、ＣＤＳ回路２２及びＡ／Ｄ変換器２４に対して適宜のタイミング信号を与えており、各回路はタイミング信号発生回路２８から加えられるタイミング信号により同期して駆動されるようになっている。
【００２５】
ＣＰＵ３０は、デジタルカメラ１０の各回路を統括制御する制御部であり、バス３２を介してゲイン調整回路３４、ガンマ補正回路３６、輝度・色差信号処理回路（ＹＣ処理回路という）３８、圧縮伸張回路４０、メモリカード４２のカードインターフェース４４、表示部４６を駆動する表示用ドライバー４８等と接続されている。
【００２６】
ＣＰＵ３０は操作部５０からの入力信号に基づいて対応する回路ブロックを制御するとともに、撮影レンズ１４のズーミング動作や自動焦点調節（ＡＦ）動作の制御、並びに自動露出調節（ＡＥ）の制御等を行う。
【００２７】
操作部５０には、画像の記録開始の指示を与えるための前述したシャッタボタン６２、撮影モードを選択するためのモードダイヤル６４、被写体の撮影処理と撮影画像の再生とを切り替えるための切替スイッチ６６、図示しないズーム操作手段、その他の各種の入力手段が含まれる。これら入力手段は、スイッチボタン、ダイヤル、スライド式ツマミなど種々の形態があり、タッチパネルや液晶モニタ表示部の画面上において設定メニューや選択項目を表示してカーソルで所望の項目を選択する態様もある。操作部５０はカメラ本体に配設されていてもよいし、リモコン送信機としてカメラ本体と分離した構成にすることも可能である。
【００２８】
ＣＰＵ３０はＣＣＤ１８から出力される画像信号に基づいて、焦点評価演算やＡＥ演算などの各種演算を行い、その演算に基づいて、撮影レンズ１４及び絞り１６の駆動手段（例えば、ＡＦモータやアイリスモータ等）５２を制御してフォーカスレンズを合焦位置に移動させるとともに、絞り１６を適正絞り値に設定する。
【００２９】
例えば、ＡＦ制御には、Ｇ信号の高周波成分が最大になるようにフォーカスレンズを移動させるコントラストＡＦ方式が採用される。ＡＥ制御には、１フレームのＲ、Ｇ、Ｂ信号を積算した積算値に基づいて被写体輝度（撮影ＥＶ）を求め、この撮影ＥＶに基づいて絞り値とシャッタースピードを決定し、駆動手段５２を介して絞り１６を駆動するとともに、決定したシャッタースピードとなるように電子シャッターによってＣＣＤ１８の電荷の蓄積時間を制御する。したがって、デジタルカメラ１０の撮影レンズ１４を被写体に向けるだけで、最適な露出調整が行われるとともに、ピント合わせが自動的に行われる。
【００３０】
撮影記録時においては、シャッタボタン６２の「半押し」時に上述した測光動作を複数回繰り返して正確な撮影ＥＶを求め、この撮影ＥＶに基づいて撮影時の絞り値とシャッタースピードを最終的に決定する。そして、シャッタボタン６２の「全押し」時に前記最終的に決定した絞り値になるように絞り１６を駆動し、また、決定したシャッタースピードとなるように電子シャッターによって電荷の蓄積時間を制御する。なお、ＡＥ、ＡＦはＣＣＤ１８から取得される画像信号に基づいて制御する方法の他、周知の測光センサやＡＦ投光／受光センサからなる測距センサ等を用いてもよい。
【００３１】
また、このデジタルカメラ１０はストロボ発光装置５４と、調光用の受光素子５６を有し、操作部５０に含まれるストロボモード設定ボタンの操作に応じて、低輝度時にストロボ発光装置５４を自動的に発光させる「低輝度自動発光モード」、被写体輝度にかかわらずストロボ発光装置５４を発光させる「強制発光モード」、又はストロボ発光装置５４の発光を禁止させる「発光禁止モード」等に設定される。
【００３２】
ＣＰＵ３０はユーザーが選択したストロボモードに応じて、ストロボ発光装置５４のメインコンデンサの充電制御や、発光管（例えば、キセノン管）への放電（発光）タイミングを制御するとともに、受光素子５６からの測定結果に基づいて発光停止の制御を行う。受光素子５６はストロボの発光によって照らされる被写体からの反射光を受光し、受光量に応じた電気信号に変換する。受光素子５６の信号は図示せぬ積分回路により積算され、積算受光量が所定の適正受光量に達した時にストロボの発光が停止される。
【００３３】
Ａ／Ｄ変換器２４から出力されたデータは前記メモリ２６に格納されるとともに、積算回路６０に加えられる。積算回路６０は、撮影画面を複数のブロック（例えば、８×８の６４個のブロック）に分割し、各ブロック毎に受入したＧ信号の積算演算を行う。なお、Ｒ、Ｇ、Ｂのデータから輝度信号（Ｙ信号）を生成して、輝度信号の積算演算を行ってもよい。また、積算回路６０はＡＥ演算回路で兼用することもできる。積算回路６０で得られた積算値の情報（演算結果）はＣＰＵ３０に入力される。
【００３４】
ＣＰＵ３０は積算回路６０からの情報に基づき、所定のアルゴリズムに従って撮影画面の評価値Ｅを算出し、求めた評価値Ｅを用いてゲイン調整回路３４におけるゲイン値（増幅率）を決定する。ＣＰＵ３０は決定したゲイン値に従ってゲイン調整回路３４におけるゲイン量を制御する。
【００３５】
メモリ２６に記憶されたＲ、Ｇ、Ｂの画像データはゲイン調整回路３４に送られ、ここで増幅処理される。増幅処理された画像データは、ガンマ補正回路３６において、ガンマ補正処理が施された後、ＹＣ処理回路３８へ送られ、ＲＧＢデータから輝度信号（Ｙ信号）及び色差信号（Ｃｒ，Ｃｂ信号）に変換される。
【００３６】
ＹＣ処理回路３８において生成された輝度・色差信号（ＹＣ信号と略記する）は、メモリ２６に書き戻される。メモリ２６に記憶されたＹＣ信号は表示用ドライバー４８に供給され、所定方式の信号（例えば、ＮＴＳＣ方式のカラー複合映像信号）に変換されて表示部４６に出力される。表示部４６には液晶ディスプレイその他のカラー表示可能な表示装置が用いられる。なお、表示部４６はＹＣ信号入力対応のタイプのものを適用してもよいし、ＲＧＢ信号入力タイプのものを適用してもよく、表示装置に対応したドライバーが適用される。
【００３７】
ＣＣＤ１８から出力される画像信号によって画像データが定期的に書き換えられ、その画像データから生成される映像信号が表示部４６に供給されることにより、ＣＣＤ１８が捉える画像がリアルタイムに動画像（ライブ画像）として、又はリアルタイムではないが、ほぼ連続した画像として表示部４６に表示される。
【００３８】
表示部４６は電子ビューファインダーとして利用でき、撮影者は表示部４６の表示画像又は図示せぬ光学ファインダーによって撮影画角を確認することができる。シャッタボタン６２の押下操作など所定の記録指示（撮影開始指示）操作に呼応して、記録用の画像データの取り込みが開始される。
【００３９】
撮影者が操作部５０から撮影記録の指示を入力すると、ＣＰＵ３０は必要に応じて圧縮伸張回路４０にコマンドを送り、これにより圧縮伸張回路４０はメモリ２６上のＹＣデータをＪＰＥＧその他の所定の形式に従って圧縮する。圧縮された画像データはカードインターフェース４４を介してメモリカード４２に記録される。
【００４０】
非圧縮の画像データを記録するモード（非圧縮モード）が選択されている場合には、前記圧縮伸張回路４０による圧縮処理を実施せずに、非圧縮のまま画像データがメモリカード４２に記録される。
【００４１】
なお、画像データは、予め定めた画像ファイル形式でメモリカード４２に記録される。この画像ファイル形式は、図３に示すように、ヘッダ部とデータ部とで構成され、ヘッダ部には、撮影日時やシャッタースピード、絞り値、撮影モード情報等の付加情報が記録され、データ部には、撮影画像の画像データが記録される。なお、撮影モード情報は、モードダイヤル６４により選択された撮影モードを示す情報である。
【００４２】
このように、画像データがメモリカード４２に記録される際には、撮影モード情報と画像データとが関連付けて記録される。なお、図４に示すように、図３に示すヘッダ部の情報に画像ファイル名を加えた付加情報を各撮影画像の撮影順に格納した付加情報ファイルを生成し、この付加情報の画像ファイル名からその付加情報に対応する画像ファイルを特定できるようにしてもよい。
【００４３】
また、画像ファイル形式として、シャッタースピード等の撮影に関する付加情報を記録することができる例えばＥｘｉｆ（Ｅｘｃｈａｎｇｅａｂｌｅ　Ｉｍａｇｅ　Ｆｉｌｅ　Ｆｏｒｍａｔ）規格を用いて、撮影モード情報と画像データとを関連付けて記録するようにしてもよい。
【００４４】
また、オートモードで撮影された場合には、画像データのみをメモリカード４２に記録するようにしてもよい。これにより、記録容量を節約することができる。
【００４５】
再生モード時には、モードダイヤル６４により選択されている撮影モードに対応する画像データのみがメモリカード４２から読み出され、読み出された画像データが圧縮伸張回路４０によって伸張処理され、表示用ドライバー４８を介して表示部４６に出力される。
【００４６】
これにより、再生時には、モードダイヤル６４で撮影モードを選択するだけで、その撮影モードで撮影した撮影画像のみを表示部４６に表示させることができる。なお、オートモードが選択されている場合には、撮影順に撮影画像を表示部４６に表示させる。これにより、メモリカード４２に記録された撮影画像の画像データを全て確認することが可能となる。
【００４７】
本実施の形態のデジタルカメラ１０は、画像データを保存する手段としてメモリカード４２が用いられている。具体的には、例えばスマートメディア等の記録メディアが適用される。記録メディアの形態は上記のものに限らず、ＰＣカード、マイクロドライブ、マルチメディアカード（ＭＭＣ）、磁気ディスク、光ディスク、光磁気ディスク、メモリスティックなど種々の形態が可能であり、使用される媒体に応じた信号処理手段とインターフェースが適用される。
【００４８】
なお、ＣＣＤ１８は本発明の撮像素子に相当し、撮影レンズ１４は本発明のレンズに相当し、モードダイヤル６４は本発明の選択手段に相当し、ＣＰＵ３０は本発明の記録手段及び再生手段に相当し、メモリカード４２は、本発明の記録媒体に相当し、表示部４６は本発明の表示手段に相当する。
【００４９】
次に、本実施の形態の作用として、ＣＰＵ３０で実行される制御ルーチンについて、図５、６に示すフローチャートを参照して説明する。
【００５０】
図５に示す制御ルーチンは、切替スイッチ６６が撮影側になっている場合に実行される。
【００５１】
まず、ステップ１００では、切替スイッチ６６が撮影側になっており、シャッタボタン６２が全押しされたか否かが判断される。そして、シャッタボタン６２が全押しされた場合には、ステップ１００の判断が肯定され、ステップ１０２へ移行する。一方、シャッタボタン６２が全押しされていない場合には、ステップ１００の判断が否定され、全押しされるまで待機する。
【００５２】
ステップ１０２では、前述した撮影処理が行われ、ＣＣＤ１８によって撮像された被写体の撮像画像の画像データがメモリ２６に一時的に記録される。
【００５３】
ステップ１０４では、メモリ２６に記録された画像データを必要に応じて圧縮伸張回路４０で圧縮し、この画像データを画像データ部とし、撮影時の撮影日時やシャッタースピード、絞り値、モードダイヤル６４によって選択された撮影モードを示す撮影モード情報等を含む付加情報をヘッダ部とした図３に示すような画像ファイル形式の画像ファイルを生成する。この生成した画像ファイルをカードインターフェース４４を介してメモリカード４２に記録する。
【００５４】
このように、被写体を撮影した場合には、ユーザが撮影に先だってモードダイヤル６４によって選択した撮影モードを示す撮影モード情報が画像データと関連付けられて記憶される。このように、モードダイヤル６４により撮影モードを選択するだけでによって撮影モード情報が画像データと関連付けられて記憶されるので、ユーザは撮影画像を分類するための分類コード等をいちいち入力する必要がなく、簡単な操作で容易に撮影画像を分類可能とすることができる。
【００５５】
なお、オートモードが選択されている場合には、画像データのみをメモリカード４２に記録するようにしてもよい。
【００５６】
一方、切替スイッチ６６が再生側になっている場合には、図６に示す制御ルーチンが実行される。
【００５７】
まず、ステップ２００では、モードダイヤル６４によって設定されている撮影モードに対応する画像データをメモリカード４２から読み込む。すなわち、メモリカード４２に記憶されている画像ファイルのヘッダ部を参照し、ヘッダ部に記録された撮影モード情報で示される撮影モードと、モードダイヤル６４により設定されている撮影モードとが一致する画像ファイルを検索する。
【００５８】
なお、オートモードが選択されている場合には、撮影モードが一致するか否かの判断をせずに、単に撮影日時が一番古い画像ファイルを検索するようにしてもよい。
【００５９】
そして、ヘッダ部に記録された撮影モード情報で示される撮影モードと、モードダイヤル６４により設定されている撮影モードとが一致した画像ファイルの画像データ部から画像データを読み出す。
【００６０】
次に、ステップ２０２では、読み出した画像データを表示用ドライバー４８を介して表示部４６へ出力する。これにより、表示部４６にモードダイヤル６４により選択されている撮影モードで撮影した画像が表示される。
【００６１】
ステップ２０４では、操作部５０の操作により、次の画像を表示する旨の指示である画像切替え指示が成されたか否かを判断する。そして、画像切替え指示が成された場合には、ステップ２０４の判断が肯定され、ステップ２００へ移行する。そして、ステップ２００では、モードダイヤル６４により設定されている撮影モードで撮影された撮影画像であって、現在表示部４６に表示されている撮影画像の次に撮影日時が古い撮影画像の画像データをメモリカード４２に記録された画像ファイルから検索し、ステップ２０２で上記と同様に表示部４６に表示させる。
【００６２】
一方、画像切替え指示が成されていない場合には、ステップ２０４の判断が否定され、ステップ２０６へ移行する。
【００６３】
ステップ２０６では、モードダイヤル６４が操作されることにより撮影モードが切替えられたか否かが判断される。撮影モードが切替えられていない場合には、ステップ２０６の判断が否定され、ステップ２０４へ戻って上記と同様の処理を行う。
【００６４】
一方、撮影モードが切替えられた場合には、ステップ２０６の判断が肯定され、ステップ２００へ移行する。ステップ２００では、上記と同様に、メモリカード４２に記憶されている画像ファイルのヘッダ部を参照し、ヘッダ部に記録された撮影モード情報で示される撮影モードと、モードダイヤル６４により設定されている撮影モードとが一致する画像ファイルを検索する。
【００６５】
そして、ヘッダ部に記録された撮影モード情報で示される撮影モードと、モードダイヤル６４により設定されている撮影モードとが一致した画像ファイルの画像データ部から画像データを読み出し、ステップ２０２で、その画像データを表示用ドライバー４８を介して表示部４６へ出力する。これにより、表示部４６にモードダイヤル６４により選択されている撮影モードで撮影した画像が表示される。
【００６６】
このように、撮影画像の再生時には、モードダイヤル６４により撮影モードを選択するだけで、その撮影モードで撮影した撮影画像のみが表示される。また、オートモードにしておけば、撮影画像全てを表示することもできる。これにより、ユーザは、分類コードなどをいちいち入力する必要がなく、簡単な操作で容易に撮影画像を分類して表示することができ、利便性を大幅に向上させることができる。
【００６７】
なお、本実施の形態では、モードダイヤル６４に撮影モードを表すモードアイコンが予め印刷されている場合について説明したが、例えば図７に示すように、図中矢印方向に回転可能なモードダイヤル６４の中心部に液晶表示パネル８８を設け、この液晶表示パネル８８にてモードアイコンを表示させると共に、モードダイヤル６４を回転させるとモードアイコンが順次切り替わるようにしてもよい。これにより、多数のモードアイコンを表示することが可能となる。また、ユーザが例えば好みのシャッタースピードや絞り値を設定した独自の撮影モードを追加できると共に、この撮影モードに対応するモードアイコンを作成して追加できるようにしてもよい。このような場合、図７に示すようにモードダイヤル６４の中心部に液晶表示パネル８８を設けた構成とすることにより、容易に追加したモードアイコンを表示させることができる。
【００６８】
【発明の効果】
以上説明したように本発明によれば、簡単な操作で撮影画像を分類毎に再生することができる、という効果がある。
【図面の簡単な説明】
【図１】デジタルカメラの背面図である。
【図２】デジタルカメラの回路ブロック図である。
【図３】画像ファイル形式のデータ構造を示す図である。
【図４】画像ファイル形式のデータ構造の他の例を示す図である。
【図５】ＣＰＵで撮影時に実行される制御ルーチンのフローチャートである。
【図６】ＣＰＵで撮影画像の再生時に実行される制御ルーチンのフローチャートである。
【図７】モードダイヤルの他の例を示す図である。
【符号の説明】
１０　デジタルカメラ
４２　メモリカード
４６　表示部
６２　シャッタボタン
６４　モードダイヤル
６６　切替スイッチ
６８、７０、７２、７４、７６、７８、８０、８２、８４　　　モードアイコン
８６　マーク
８８　液晶表示パネル
【図１】
2004120225.tif 000003
【図２】
2004120225.tif 000004
【図３】
2004120225.tif 000005
【図４】
2004120225.tif 000006
【図５】
2004120225.tif 000007
【図６】
2004120225.tif 000008
【図７】
2004120225.tif 000009